(57)【要約】【課題】圧縮成形された木材を補強する補強部材をその木材に対して容易に取り付けることができる圧縮木製品の製造方法を提供する。【解決手段】木材を３次元形状に圧縮成形する圧縮工程と、前記圧縮工程で圧縮した木材を射出成形金型内に配置し、合成樹脂を射出成形することによって前記木材の表面に所定の形状をなす合成樹脂部を形成する合成樹脂部形成工程と、を有する。前記合成樹脂部は、一連の形状をなし、その一部がボス状またはリブ状をなすように成形する。前記合成樹脂部形成工程を行う前に、前記圧縮工程で圧縮された木材に対して開口部を形成する開口部形成工程をさらに有し、前記合成樹脂部形成工程において、前記開口部形成工程で形成した開口部の少なくとも周縁部に前記合成樹脂を付着固定させても構わない。【選択図】        図５
2007118457.tif 000002
【特許請求の範囲】
【請求項１】
圧縮成形した木材を備える圧縮木製品を製造する圧縮木製品の製造方法であって、
木材を３次元形状に圧縮成形する圧縮工程と、
前記圧縮工程で圧縮した木材を射出成形金型内に配置し、合成樹脂を射出成形することによって前記木材の表面に所定の形状をなす合成樹脂部を形成する合成樹脂部形成工程と、
を有することを特徴とする圧縮木製品の製造方法。
【請求項２】
前記合成樹脂部は、一連の形状をなすことを特徴とする請求項１記載の圧縮木製品の製造方法。
【請求項３】
前記合成樹脂部の一部は、ボス状および／またはリブ状をなすことを特徴とする請求項１または２記載の圧縮木製品の製造方法。
【請求項４】
前記合成樹脂部形成工程を行う前に、前記圧縮工程で圧縮された木材に対して開口部を形成する開口部形成工程をさらに有し、
前記合成樹脂部形成工程は、前記開口部形成工程で形成した開口部の少なくとも周縁部に前記合成樹脂を付着固定させることを特徴とする請求項１〜３のいずれか一項記載の圧縮木製品の製造方法。
【請求項５】
前記合成樹脂部形成工程を行う前に、前記合成樹脂が付着する前記木材の表面を粗面化する粗面化工程をさらに有することを特徴とする請求項１〜４のいずれか一項記載の圧縮木製品の製造方法。
【請求項６】
前記粗面化工程は、前記圧縮工程にて前記木材を圧縮するのと同時に行われることを特徴とする請求項５記載の圧縮木製品の製造方法。
【請求項７】
前記圧縮工程は、大気よりも高温高圧の水蒸気雰囲気中で、一対の金型によって前記木材を挟持して圧縮力を加えることを特徴とする請求項１〜６のいずれか一項記載の圧縮木製品の製造方法。
【発明の詳細な説明】
【技術分野】
【０００１】
本発明は、圧縮成形された木材を備える圧縮木製品を製造する圧縮木製品の製造方法に関する。
【背景技術】
【０００２】
近年、自然素材である木材が注目されている。木材はさまざまな木目を有するため、原木から形取る箇所に応じて個体差が生じ、その個体差が製品ごとの個性となる。また、長期の使用によって生じる傷や色合いの変化自体も、独特の風合いとなって使用者に親しみを生じさせることがある。これらの理由により、合成樹脂（プラスチック）や軽金属を用いた製品にはない、個性的で味わい深い製品を生み出すことのできる素材として木材が注目されており、その加工技術も飛躍的に進歩しつつある。
【０００３】
従来、かかる木材の加工技術として、吸水軟化した１枚の木材を圧縮し、その木材を圧縮方向と略平行にスライスして板状の一次固定品を得た後、この一次固定品を加熱吸水させながら所定の３次元形状に成形する技術が知られている（例えば、特許文献１を参照）。また、軟化処理した状態で圧縮した１枚の木材を仮固定し、この木材を型に入れて回復させることによって型成形する技術も知られている（例えば、特許文献２を参照）。これらの技術では、木材の個体差や種類、加工後の木材の強度やその用途などを含むさまざまな点を考慮して、木材の肉厚や圧縮率が決められる。
【０００４】
【特許文献１】特許第３０７８４５２号公報
【特許文献２】特開平１１−７７６１９号公報
【発明の開示】
【発明が解決しようとする課題】
【０００５】
しかしながら、上記従来技術では、圧縮後の木材の形状によって木材の繊維方向に応じて強度が強い部分と弱い部分とが生じてしまうことがあった。このような場合、成形品である木材に対して何らかの補強をせざるを得ないが、そのための補強部材を取り付ける手間がかかるという問題があった。
【０００６】
本発明は、上記に鑑みてなされたものであって、圧縮成形された木材を補強する補強部材をその木材に対して容易に取り付けることができる圧縮木製品の製造方法を提供することを目的とする。
【課題を解決するための手段】
【０００７】
上述した課題を解決し、目的を達成するために、請求項１記載の発明は、圧縮成形した木材を備える圧縮木製品を製造する圧縮木製品の製造方法であって、木材を３次元形状に圧縮成形する圧縮工程と、前記圧縮工程で圧縮した木材を射出成形金型内に配置し、合成樹脂を射出成形することによって前記木材の表面に所定の形状をなす合成樹脂部を形成する合成樹脂部形成工程と、を有することを特徴とする。
【０００８】
請求項２記載の発明は、請求項１記載の発明において、前記合成樹脂部は、一連の形状をなすことを特徴とする。
【０００９】
請求項３記載の発明は、請求項１または２記載の発明において、前記合成樹脂部の一部は、ボス状および／またはリブ状をなすことを特徴とする。
【００１０】
請求項４記載の発明は、請求項１〜３のいずれか一項記載の発明において、前記合成樹脂部形成工程を行う前に、前記圧縮工程で圧縮された木材に対して開口部を形成する開口部形成工程をさらに有し、前記合成樹脂部形成工程は、前記開口部形成工程で形成した開口部の少なくとも周縁部に前記合成樹脂を付着固定させることを特徴とする。
【００１１】
請求項５記載の発明は、請求項１〜４のいずれか一項記載の発明において、前記合成樹脂部形成工程を行う前に、前記合成樹脂が付着する前記木材の表面を粗面化する粗面化工程をさらに有することを特徴とする。
【００１２】
請求項６記載の発明は、請求項５記載の発明において、前記粗面化工程は、前記圧縮工程にて前記木材を圧縮するのと同時に行われることを特徴とする。
【００１３】
請求項７記載の発明は、請求項１〜６のいずれか一項記載の発明において、前記圧縮工程は、大気よりも高温高圧の水蒸気雰囲気中で、一対の金型によって前記木材を挟持して圧縮力を加えることを特徴とする。
【発明の効果】
【００１４】
本発明に係る圧縮木製品の製造方法によれば、木材を３次元形状に圧縮成形する圧縮工程と、前記圧縮工程で圧縮した木材を射出成形金型内に配置し、合成樹脂を射出成形することによって前記木材の表面に所定の形状をなす合成樹脂部を形成する合成樹脂部形成工程と、を有することにより、圧縮成形された木材を補強する補強部材をその木材に対して容易に取り付けることが可能となる。
【発明を実施するための最良の形態】
【００１５】
以下、添付図面を参照して本発明を実施するための最良の形態（以後、「実施の形態」と称する）を説明する。本発明の一実施の形態に係る圧縮木製品の製造方法においては、まず、所定の形状をなす木材を原木から形取る（形取工程）。図１は、この形取工程の概要を模式的に示す図である。同図に示す木材１は、原木である無圧縮状態の無垢材１０（木目１０Ｇを有する）から切削等によって形取られ、略長方形状の表面をなす平板状の主板部１ａと、この主板部１ａ表面の長手方向に略平行な２辺の各々から主板部１ａ表面に対して所定の角度をなして延出する二つの側板部１ｂと、主板部１ａ表面の短手方向に略平行な２辺の各々から主板部１ａ表面に対して所定の角度をなして延出する二つの側板部１ｃとを備える。この木材１は、皿状（椀状、シェル状、箱状等の形状を含む）をなし、後述する圧縮工程によって減少する分の容積を予め加えた容積を有する。
【００１６】
図１に示す場合、無垢材１０から形取る木材１の長手方向とその木材１の繊維方向Ｌとが略平行であって主板部１ａの表面が柾目面をなすように形取りを行っているが、これはあくまでも一例に過ぎない。他にも、木材１の長手方向がその木材１の繊維方向Ｌと略平行であり、主板部１ａの表面が板目面、追柾面をなすように形取ることもできる。また、木材１の長手方向がその木材１の繊維方向Ｌと略直交し、主板部１ａの表面が木口面をなすように形取ることもできる。このように、木材を原木からどのように形取るかは、その木材に対して要求する強度や美観等の条件に応じて定められる。このような事情に鑑み、以後の説明で参照する図面においては、木目を省略して記載する。
【００１７】
なお、無垢材１０は、ヒノキ、ヒバ、桐、杉、松、桜、欅、黒檀、紫檀、竹、チーク、マホガニー、ローズウッドなどの中から、加工した木材の用途等に応じて最適なものを選択すればよい。また、木材を原木から形取る際には平板状に形取ってもよい。
【００１８】
次に、形取った木材１を圧縮成形する（圧縮工程）。図２は、この圧縮工程において使用する金型の構成および木材１を圧縮する前の状態を示す図である。同図に示すように、木材１は、一対の金型５１および６１によって挟持され、圧縮力が加えられる。圧縮時に木材１の上方から圧縮力を加える金型５１は、木材１の主板部１ａから側板部１ｂおよび１ｃに各々立ち上がって湾曲する曲面の内側面に嵌合する形状をなす凸部５２を備えたコア金型である。木材１の内側面のうち、主板部１ａから側板部１ｂに立ち上がって湾曲する曲面１ａｂ内側面の曲率半径をＲＩとし、凸部５２のうち曲面１ａｂに当接する曲面の曲率半径をＲＡとすると、この二つの曲率半径は、ＲＩ＞ＲＡという関係を満たす。
【００１９】
これに対し、圧縮時に木材１の下方から圧縮力を加える金型６１は、木材１の主板部１ａから側板部１ｂおよび１ｃに各々立ち上がって湾曲する曲面の外側面を嵌入する凹部６２を備えたキャビティ金型である。木材１の主板部１ａから側板部１ｂに立ち上がって湾曲する曲面１ａｂ外側面の曲率半径をＲＯとし、凹部６２のうち曲面１ａｂの外側面に当接する曲面の曲率半径をＲＢとすると、この二つの曲率半径は、ＲＯ＞ＲＢという関係を満たす。
【００２０】
以上の構成を有する金型５１および６１を用いて木材１を圧縮する前に、木材１を大気よりも高温高圧の水蒸気雰囲気中に所定時間放置することにより、水分を過剰に吸収させて軟化させる。ここでいう高温高圧とは、温度が１００〜２３０℃、より好ましくは１８０〜２３０℃、さらに好ましくは１８０〜２００℃程度であり、圧力が０.１〜３.０ＭＰａ（メガパスカル）、より好ましくは０.４５〜２.５ＭＰａ、さらに好ましくは１.０〜１.６ＭＰａ程度の状態を指す。なお、上述した水蒸気雰囲気中で木材１を放置して軟化させる代わりに、例えば木材１をマイクロウェーブの如き高周波の電磁波によって加熱して軟化させてもよい。
【００２１】
この後、上述した水蒸気雰囲気中で十分に軟化した木材１を、同じ水蒸気雰囲気中で圧縮する。図３は、軟化した木材１を所定の位置に配置した後、金型５１を下降させて金型６１との間で木材１を挟持し、この挟持した木材１に対して所定の圧縮力を加えている状態を示す図であり、より具体的には、木材１の圧縮力による変形がほぼ完了した状態を示す図である。図３に示すように、木材１は金型５１および６１から圧縮力を受けることにより、金型５１と金型６１との隙間に相当する３次元形状に変形される。
【００２２】
木材１に所定時間（１〜数十分、より好ましくは５〜１０分程度）圧縮力を加えた後、上記水蒸気雰囲気を解いて木材１を乾燥させ、金型５１と金型６１を離間させて圧縮を解除することによって圧縮工程が終了する。この圧縮工程の結果、木材１の肉厚は、圧縮前の木材１の肉厚の３０〜５０％程度となる。圧縮工程後の木材は、薄肉でも高い強度を有するとともに、その形状が木材の乾燥等によって変形することがなく、工業製品として好適なものとなる。以後、圧縮工程後の木材を「圧縮木材」と称する。
【００２３】
本実施の形態においては、上述した圧縮工程の後、圧縮木材の所定箇所に切削等によって開口部を形成する（開口部形成工程）。図４は、開口部形成工程後の圧縮木材の構成を示す斜視図である。同図に示す圧縮木材２は、木材１の主板部１ａ、ならびに側板部１ｂおよび１ｃにそれぞれ対応する主板部２ａ、ならびに側板部２ｂおよび２ｃを有する。また、主板部２ａの中央部には、直方体形状の開口部２１が形成されている。このような開口部２１を有する圧縮木材２を用いて製造される圧縮木製品は、例えば小型デジタルカメラの外装材の一部をなすカバー部材として使用され、開口部２１には液晶パネルが配設される。以後の説明では、圧縮木材２を用いて圧縮木製品を製造する場合を説明する。
【００２４】
続いて、圧縮木材２の表面に対し、補強部材として、ポリカーボネート、ＡＢＳ、またはポリプロピレンなどから成る合成樹脂を付着固定させ、所定の形状をなす合成樹脂部を形成する（合成樹脂部形成工程）。図５は、この合成樹脂部形成工程の概要を示す図であり、図４の圧縮木材２のＡ−Ａ線断面図に相当する部分を示す断面図である。この図５に示す場合、圧縮木材２は、コア金型７１（射出成形金型）とキャビティ金型８１（射出成形金型）との間の所定の位置に配置される。コア金型７１には、加熱溶融した合成樹脂を射出する射出部１０１の下端に設けられた吐出用のノズルに接続するスプルー７２が形成されている。このスプルー７２は、成形部分と同じ形状をなす空間部７８ａ、７８ｂ、７８ｃなどに接続されており、それらの空間部７８ａ〜７８ｃを含む空間部に溶融した合成樹脂を注入するための流路をなす。
【００２５】
以上の構成を有する射出成形金型（コア金型７１およびキャビティ金型８１）を加熱してその温度を１２０℃程度とした後、３００℃程度に加熱溶融した合成樹脂を射出部１０１から射出することにより、各空間部に合成樹脂を注入する。この注入した合成樹脂が固化した後、コア金型７１とキャビティ金型８１とを離間する。その際には、固化した合成樹脂を突き当てピン２０１によってコア金型７１から取り外しながらコア金型７１をキャビティ金型８１に対して上昇させる。
【００２６】
図６は、合成樹脂部形成工程を経て完成した圧縮木製品の構成を示す斜視図である。また、図７は、図６のＢ−Ｂ線断面図であり、この切断面は図５と同じ切断面である。これらの図に示す圧縮木製品３は、圧縮木材２の主板部２ａの内側面に、合成樹脂部の一部としてボス３２、３３、３４、およびリブ３５、３６が形成されている。これらのボスやリブは連結部３０（合成樹脂部の一部）を介して一体的に繋がった一連の形状をなしている。また、開口部３１は、圧縮木材２の開口部２１の表面が連結部３０によってモールドされたものである。図７を図５と比較すれば明らかなように、空間部７８ａがボス３２に対応し、空間部７８ｂがリブ３５に対応し、空間部７８ｃが連結部３０のモールド部分に対応している。このモールド部分は、連結部３０を介して一連の形状をなす合成樹脂部が圧縮木材２から外れてしまうのを防止する抜け止め機能を果たす。
【００２７】
このように、合成樹脂部形成工程においては、圧縮木材２に対して通常の射出成形技術を適用することにより、補強部材としての合成樹脂部を圧縮木材２に対して容易にかつ確実に付着固定させることができる。圧縮木材２は、無圧縮状態の木材とは異なり形状が固定されている。このため、合成樹脂部を形成することによって圧縮木材２の形状や圧縮木材２の繊維方向等の条件に応じた補強を容易にかつ適確に実現することができる。なお、合成樹脂部形成工程は上述した方法に限定されるわけではなく、一般的な射出成形技術（アウトサート成形、インサート成形、モールド成形などに関する技術を含む）の中から、圧縮木材の形状や素材、補強部材の形状や素材などの条件に応じて最適な方法を選択すればよい。
【００２８】
ところで、上述した合成樹脂部形成工程の前に、合成樹脂が付着する圧縮木材２の表面を、ヤスリ等を用いたりサンドブラスト処理を適用したりすることによって粗面化する粗面化工程を行ってもよい。この粗面化工程を行うことにより、圧縮木材２に対する合成樹脂の密着度を一段と向上させることができる。
【００２９】
なお、圧縮工程で使用する金型５１の凸部５２の表面の少なくとも一部をサンドブラスト処理によって予め粗面化しておいてもよい。これにより、金型５１を用いて木材１に圧縮力を加える際、粗面化した部分を含む凸部５２の表面形状（パターン）が木材１の表面に転写されるので、圧縮工程と同時に粗面化工程を行うことが可能となる。圧縮木材２の表面の粗面化は、後に付着固定される合成樹脂の密着度を一段と向上させるために行うものであったことに鑑み、凸部５２の表面で粗面化する部分は、圧縮工程によって得られた圧縮木材２の表面のうち、後の合成樹脂部形成工程において合成樹脂が付着する部分に対応する箇所を少なくとも含んでいればよい。
【００３０】
以上説明した本発明の一実施の形態に係る圧縮木製品の製造方法によれば、木材を３次元形状に圧縮成形する圧縮工程と、前記圧縮工程で圧縮した木材を射出成形金型内に配置し、合成樹脂を射出成形することによって前記木材の表面に所定の形状をなす合成樹脂部を形成する合成樹脂部形成工程と、を有することにより、圧縮成形された木材を補強する補強部材をその木材に対して容易に取り付けることが可能となる。
【００３１】
また、本実施の形態によれば、圧縮成形された木材に対して合成樹脂部を形成しているので、無圧縮状態の木材を用いる場合のように木材自体が変形しない。このため、合成樹脂部と木材との間に隙間が生じたり、木材の変形によって合成樹脂部が木材から取れてしまったりすることがない。
【００３２】
さらに、本実施の形態によれば、圧縮木材に対して付着固定された合成樹脂部は一連の形状をなし、その一部がボス状またはリブ状をなすことにより、圧縮木材を適確に補強することが可能となる。
【００３３】
加えて、本実施の形態によれば、開口部を形成し、この開口部の周縁部を合成樹脂部によってモールドし、しかも形成された合成樹脂部が上記の如く一連の形状をなしているため、圧縮木材に対して合成樹脂部をより確実に固着させることができる。
【００３４】
本実施の形態に係る圧縮木製品の製造方法によって製造された圧縮木製品は、デジタルカメラ、携帯電話、ＰＨＳまたはＰＤＡ等の携帯型通信端末、携帯型オーディオ装置、ＩＣレコーダ、携帯型テレビ、携帯型ラジオ、各種家電製品のリモコン、デジタルビデオなどの小型携帯用電子機器の外装材として好適である。この場合、皿状をなす圧縮木製品３と同様の皿状をなす圧縮木製品をもう一つ圧縮成形し、その両者を組み合わせることによって外装材を構成すればよい。そして、例えば二つの圧縮木製品を組み合わせたときに対向する位置に同じ形状のボスやリブを各圧縮木製品に形成することにより、電子機器が外力によって所定の範囲を超えて変形するのを防止することが可能となる。
【００３５】
また、本実施の形態に係る圧縮木製品の製造方法によって製造された圧縮木製品は、めがねケースや食器などとしても適用することが可能である。
【００３６】
図８は、本実施の形態に係る圧縮木製品の製造方法によって形成された圧縮木製品の別な構成例を示す断面図である。同図に示す圧縮木製品４は、皿状をなす圧縮木材２２の内側面の少なくとも図示断面にボス４１およびリブ４２が連結部４０を介して一連の形状をなすように形成されている。このうちボス４１は、連結部４０側の基端部にいくにしたがって幅広となるテーパ形状をなしている。このような断面形状とすることにより、さらに大きな補強効果を得ることができる。なお、ボス４１と同様の断面形状をなすリブを形成してもよい。また、圧縮木材２２を圧縮成形する圧縮工程は、上記一実施の形態と同じである。
【００３７】
圧縮木材２２は、主板部２２ａに開口部が形成されていない。その代わり、圧縮木材２２には、開口部形成工程において、側板部２２ｂの端面付近の肉厚方向に小径の開口部２２１が穿設される。このため、合成樹脂部形成工程は、その開口部２２１に合成樹脂が充填されるような射出成形金型を用いることによって上記一実施の形態と同様に行われる。
【００３８】
このようにして製造された圧縮木製品４では、圧縮木材２２の同一断面上の離れた端面同士を連結するように連結部４０が付着固定されるとともに、その断面上で開口部２２１に充填された合成樹脂と圧縮木材２２の側板部２２ｂの端面の少なくとも一部に付着固定した合成樹脂とが環状をなすように合成樹脂部が形成されるため、その合成樹脂部を圧縮木材２２に対してより確実に固着することが可能となる。この意味では、圧縮木製品４が図８に示す断面形状をなす切断面を複数有していれば、圧縮木材２２の端部付近の強度を向上させることができるのでより好ましい。
【００３９】
なお、ここまでの説明では、合成樹脂部形成工程を行う前に、圧縮木材に開口部を形成する開口部形成工程を行ってきたが、圧縮木製品として開口部が不要である場合には、この開口部形成工程を行わずに合成樹脂部形成工程に進んでも構わない。
【００４０】
以上の説明からも明らかなように、本発明は、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００４１】
【図１】本発明の一実施の形態に係る圧縮木製品の製造方法における形取工程の概要を示す図である。
【図２】本発明の一実施の形態に係る圧縮木製品の製造方法における圧縮工程の概要を示す図である。
【図３】圧縮工程において木材の変形がほぼ完了した状況を示す図である。
【図４】圧縮木材の構成例を示す斜視図である。
【図５】本発明の一実施の形態に係る圧縮木製品の製造方法における合成樹脂部形成工程の概要を示す図である。
【図６】本発明の一実施の形態に係る圧縮木製品の製造方法によって製造された圧縮木製品の構成を示す斜視図である。
【図７】図６のＢ−Ｂ線断面図である。
【図８】本発明の一実施の形態に係る圧縮木製品の製造方法によって製造された圧縮木製品の別な構成例を示す断面図である。
【符号の説明】
【００４２】
１  木材
１ａ、２ａ、２２ａ  主板部
１ａｂ  曲面
１ｂ、１ｃ、２ｂ、２ｃ、２２ｂ  側板部
２、２２  圧縮木材
３、４  圧縮木製品
１０  無垢材
１０Ｇ  木目
２１、３１、２２１  開口部
３０、４０  連結部（合成樹脂部の一部）
３２、３３、３４、４１  ボス（合成樹脂部の一部）
３５、３６、４２  リブ（合成樹脂部の一部）
５１、６１  金型
５２  凸部
６２  凹部
７１  コア金型（射出成形金型）
８１  キャビティ金型（射出成形金型）
７２  スプルー
７８ａ、７８ｂ、７８ｃ  空間部
１０１  射出部
２０１  突き当てピン
【図１】
2007118457.tif 000003
【図２】
2007118457.tif 000004
【図３】
2007118457.tif 000005
【図４】
2007118457.tif 000006
【図５】
2007118457.tif 000007
【図６】
2007118457.tif 000008
【図７】
2007118457.tif 000009
【図８】
2007118457.tif 000010